(57)【要約】【課題】ボトルまたは包みのような使い捨ての包装容器を閉じるための装置であって、入れ子にすることが可能で、リサイクル可能であり、包みを閉じる形状をした装置として具体化することができ、貯蔵および衛生状態を改善することを可能にする装置を提供することを課題とする。【解決手段】本発明による密封カプセルは、密閉体１および中央に配置されたねじ栓２を備えたボトルに使用され、使用に際し、インナーシール体３はタブ４を引くことにより取り外される。プラスチック密閉体は、フランジ５の周囲に沿った上方縁部へ伸展され、前記ねじ栓を閉蓋できる高さのねじ山を備えている。
2006519147.tif 000002
【特許請求の範囲】
【請求項１】
包装容器用の密閉装置もしくは密封装置であって、密閉体が、前記包装容器の内側に配置および固定され、または、前記包装容器の側壁により包囲されかつ蓋もしくはシール体により閉蓋された空間内に配置され、前記蓋もしくはシール体、および／または、前記密閉体、および／または、キャップもしくは栓、または前記キャップの下に取り付けられた別の密封シールにより構成される少なくとも二重の安全性を備え、衛生基準に適合した包装容器を提供し、前記蓋もしくはシール体が、前記キャップを収容する空間を密閉することにより無菌とされた包装容器を提供することを特徴とする密閉装置もしくは密封装置。
【請求項２】
前記密閉装置は予め作成され、次に首部に結合され、前記容器の上部の仕切りをなし、前記首部は前記包装容器上端に接着され、溶接され、ねじ締めされ、またはタブ、薄片もしくはその他により取り外し可能とされ、前記タブ、薄片もしくはその他は溶接、接着などされていることを特徴とする請求項１に記載の装置。
【請求項３】
前記密閉装置の中央もしくは中央以外に取り付けられた注ぎ口およびスクリューキャップを含む現在用いられている略全ての密封体に適合し、標準化された凹凸のない外形をした複数のコンポーネントを高強度で貯蔵可能とし、横方向に積み重ねることまたは縦方向に入れ子にすることにより、リサイクル時の貯蔵に対応することを特徴とする請求項１または請求項２に記載の装置。
【請求項４】
可変空間を画定する蓋もしくはシール体および密閉体を含み、注ぎ口を開放して機能性を高めるために、カッティングワイヤのような前記側壁を切り離す手段を備えることにより前記包装容器の高さを短縮可能とし、前記空間は付属品、表示器および酸化防止剤などを収容でき、内容物を消費した後には、前記密閉装置を第２のワイヤにより切り離り可能であることを特徴とする請求項１〜請求項３のいずれか一項に記載の装置。
【請求項５】
前記蓋および密閉体が、湾曲した縁部もしくはへり部を備えた全面的な開口部を前記包装容器に与え、前記縁部もしくはへり部は、前記包装容器の上端に滑らかな曲面を形成し、全面継ぎまたは重ね継ぎされ、中空であり、柔軟性があり、または柔軟性がないことを特徴とする請求項４に記載の装置。
【請求項６】
押し込み可能な襟部を有し、前記接着した蓋もしくはシール体は使用中には前記襟部を引き出し可能としかつ従来と同様の工程により側壁へ熱溶接されることを特徴とする請求項４または請求項５に記載の装置。
【請求項７】
前記包装容器の本体部または縁部もしくはへり部の頂部もしくは底部に重ねられ、前記包装容器がリサイクルおよび積み重ね可能であることを特徴とする請求項１〜請求項６のいずれか一項に記載の装置。
【請求項８】
前記包装容器が上方断面が下方断面より小さな錐台形状を呈し、平行な縁部からなる上方襟部を備え、もしくは容器の底部から密閉し、または一回で本体部と密閉体とを型押しされて前記底部から充填されることを特徴とする請求項１〜請求項７のいずれか一項に記載の装置。
【請求項９】
前記包装容器の本体部の端に重ねることができ、前記包装容器本体部は、前記密閉体を１つづつ取ることができ、汚れの付着から保護され、固体またはペースト状の内容物を抽出するためのピストンとしての機能を果たすことを特徴とする請求項１〜請求項８のいずれか一項に記載の装置。
‐−−‐−−‐−−‐−−‐−−‐−−‐−−‐−−‐−−‐−−‐−−‐−−‐−−‐
【発明の詳細な説明】
【技術分野】
【０００１】
本発明は包装容器を閉蓋する装置を含み、特に、使い捨て用であって、入れ子にし、リサイクルすることができるボトルまたはパックを閉蓋ための装置に関する。内側の膜で封をされる密閉体は、貯蔵および衛星に関し利点を有し、例えば炭酸系飲料または発砲性飲料や、食品、薬品、化学品など様々な製品を対象として常圧および加圧状態で収容する包装産業に関連する。
【背景技術】
【０００２】
従来、キャップまたは栓は包装容器から突出し、汚れに晒され、外側へ配置されていることが保管を困難にし、用途が制限されていた。キャップまたは栓を装填している間、上下の２面を互いに組み合わせることが不可能であったため、まとめるのが困難であった。
【０００３】
特許出願（出願番号：ＰＣＴ／ＦＲ００／００００８）により積み重ねられるボトルまたはパックが公知とされている。キャップまたは栓を備えたその注ぎ口は、内側の密封体（インナーシール）の上、または取り外し可能なカバーの上に配置されている。しかしこれらの包装容器は機構的な安全性もしくは雑菌混入に対する安全性が低く、またはその対策がなされていない。
【０００４】
ＥＰ９４５，３６１の出願によると、柔軟な膜で確実に密閉されるフレームを備え、液体またはペースト状の内容物を抽出するためにその中央部分にチューブが通っている柔軟性のある材料からなる容器が記載されている。閉じた状態においては、取り外し可能な剥ぎ取り式の隔膜は、前記フレームの端に密閉溶接され、柔軟な膜と端部が膜に密閉設置されたチューブとを確保する空間を構成する。膜を引っ張ることで、フレームおよびチューブの端から開放され、同時に、前記空間からチューブが取り出され、チューブが使用可能となる。容器はこのように開かれて内容物を出すことができる。
【０００５】
米国特許第ＵＳ５，１０８，００３号明細書には、缶の上部をおおいに覆われ、その内表面上に、缶の上部表面の口部に関連するキャップまたは栓を備えた金属缶が記載されている。缶の内容物を抽出するには、カバーを破って、上に引っ張れば足り、キャップまたは栓が口部から取り外される。このようにして、キャップまたは栓と一片からなるおおいとの間の隙間をなくしている。
【０００６】
この固い金属構造容器の設計は、事実上柔軟性のあるＥＰ９４５３６１明細書に記載された容器とは組み合わせることはできない。
【０００７】
材料の物理的特性が互いに異なり、両立しえないことから、缶の構成要素は容器の構成要素と組み合わせることはできない。
【発明の開示】
【課題を解決するための手段】
【０００８】
本発明は、雑菌混入を防止する包装容器密封装置を提供する。これは、密閉体およびキャップまたは栓が内側にあり、これより外側に密閉シール体があるために衛生を保つ包装容器である。密閉シール体により包装容器の端部を形成し、これによって平坦となり、もしくは縁が延長したカップ形状となる。本装置は包装容器の側壁の一部を形成する。キャップまたは栓は容器を閉蓋する密閉体の一部である。この密閉体は様々な高さの蓋またはシールにより保護されたステージを画定する。利用可能な多種多様のキャップまたは栓に加えて、第２の構成要素またはその他の装備品、取り外し可能なハンドル、ストロー、温度ゲージ、紫外線ゲージ、内容物に必要な酸素キレート剤、あるいは宣伝用ゲームなどを含んでもよい。医療分野では、空気取り入れ口、注射管などのような特定物を追加してもよい。接着され、溶接され、栓をされた第二ステージは、特定の開発に向けて変更することができる。
【０００９】
“上部のＵ字型開口部”を備えた開口に近接する密閉装置は、包装容器の構造を強化する。密閉体を予め組み立てれば、固定する前にキャップ、栓または同等物を型で作り、溶接し、接着することができる。
【００１０】
組立は、接着、溶接、ねじ締め、その他同様の技術またはこれら既知の製法を組み合わせた手段により行う。簡単のため、明細書内では１つの組立方法についてのみ記載する。
【００１１】
包装容器をなす錐台の方向は積み重ねおよびリサイクルには影響しない。これら密閉装置は、例えば五角形タイプなど、機械的強度および審美度を与える多角形のような全ての形状の包装に適合する。この蜂の巣状の形状は、重なり合うコンポーネント間の空間を最小限とするとともに、貯蔵時および瓶詰め時の横方向の強度を向上し、コンポーネントに安定性を与える。
【００１２】
包装容器の底部および上部に凹凸がないことは積み重ねを容易にする。五角形の包装容器は再使用する場合を除き蓋または密封体が切り取られる。
【００１３】
包装本体部を縦方向または横方向に入れ子にすることは、貯蔵およびリサイクルを最適化する。
【００１４】
パレットに積むときは、本発明による他の形態の密閉された標準包装容器は、様々な内容物を保持しながらも組立強度には影響しない。周知技術にしたがって、容器の列ごとに交互に配列し、プラスチックシートまたは凝塊形成した（繊維板）タイプのシートを容器の列間に使用して貯蔵してもよい。
【００１５】
装置は、蓋もしくはシール体、密閉体および／またはキャップもしくは栓を用いることにより、雑菌混入に対する安全性を向上する。スクリューキャップの場合、キャップ自体で密封でき、追加的に不透水性を向上し衛生状態を保って包装可能である。他に、キャップまたは栓はゴム引きでき、“トロカーダブル（trocardable）”であり、換言すれば、針で孔を開け、ひねって取り外す金属製またはプラスチック製のインサートを固定する。これは医療衛生規格に合致する。この包装容器は、頑丈で、無菌であって、入れ子にすることができ、リサイクル可能な現在要求されるプラスチックの貯蔵条件を満たすものである。
【００１６】
本発明による装置は、少なくもと内側を閉蓋する装置と同等の物を含み、内側の空間は包装容器の側壁により画定される。さらに側壁は、蓋またはシール体のような表面から突出しない保護部材を含む。保護部材は、タブ、薄片その他により取り外される部材を用いて固定された金属もしくはプラスチックまたはこれらに類似する特性を持つその他の材料で構成される。包装容器の大きさは、装置を包囲し、容量に応じて様々に変化する。
【００１７】
本発明による包装容器の密閉装置または密封装置は、密封体が内側で固定されること、もしくは密封装置が包装容器内の空間に位置することに特徴を有し、包装容器は側縁により形成され、蓋またはシール体により閉蓋される。このように包装容器は蓋もしくはシール体、および／または密閉体、および／またはキャップもしくは栓、あるいはキャップまたは栓の下に取り付けられる衛生規格を満たす別の新たな密封シールを含む少なくとも2段階の安全性を備え、キャップまたは栓を収容する蓋またはシール体へわたる空間を密閉する外側の蓋によって無菌状態を保つ包装容器を提供する。
【００１８】
密閉体は予め加工され、次に包装するために、接着され、溶接され、側面をねじ切りされ、溶接、接着などされたタブ、薄片またはその他により取り外し可能な上方襟部を加工される。
【００１９】
内側の密閉体は、中央または中央以外に配置されたスクリューキャップ、注ぎ口のような現在用いられている略全てのタイプの閉蓋体に適応する。この設計により、凹凸のない耐久性のある標準外形のコンポーネントの貯蔵が容易となり、包装容器高にわたって横方向に重ねることにより、または垂直方向に入れ子にし、もしくは嵌め合いすることによりリサイクル時の貯蔵に適合する。
【００２０】
蓋またはシール体および密閉体は、可変の空間を画定する。容器の機能を高めるためにカッティングワイヤなどの既知の方法により切り離しできる側壁を用いてその高さを低くしてもよく、これにより注ぎ口が開放されて使用が容易となる。この空間には必要であれば付属品、表示器、酸化防止材などを収容してもよい。内容物を消費した後は、密閉体は第２のワイヤにより取り外される。
【００２１】
シール体もしくは蓋、または密閉体を固定するのに溶接するときは、リサイクル時に機能するカッティングワイヤ装置、プラスチック・テアリング（plastic tearing）または適切なその他同等の全ての除去手段を共に用いる。簡単のため、明細書内では１つの除去方法についてのみ記載する。
【００２２】
本発明は、内容物を出す開口部および貯蔵部を含む二重の安全性を備えた包装容器も含む。包装容器は、貯蔵部を伸ばして前記内容物を出す開口部を囲繞する首部を備え、首部の下端は貯蔵部に固定され、その上端は、その密閉手段を含む前記開口部の上端より高く、首部の上端は蓋またはシール体を取り付けられる面を備え、当該蓋またはシール体は、貯蔵部の上端とキャップまたは栓を含むその開口部との間の空間を密封するそのことを特徴とし、まず蓋を外して外側の閉蓋手段を分離し、その後前記包装容器の内容物を出す。
【００２３】
首部は頑丈で、貯蔵部の側面に組み立てられ、または、不可欠な部分であってテアリング手段を含み、テアリング手段は貯蔵部に近い合口に配置され、その部分を除去して内容物の取り出し口を開放することを目的としている。
【００２４】
他の形態として、首部の上縁部は貯蔵部の密閉体に連結する柔軟な部分を伸展して延長される。貯蔵部の表面は内側に折りたたまれ、折り返した状態では開口部は首部の上縁部より下に位置し、伸展した状態では開口部は首部の上縁部より上に位置する。このようにして、首部の上縁部および柔軟な部分は密閉体に連結され、柔軟な部分および貯蔵部の密閉体は首部の上縁部へと、強化リングによってそれぞれ連結される。
【００２５】
有利な点として、首部の縁部および容器の蓋またはシール体は、十分に近づけそれぞれ互いに固定すればよく、これは例えば単機運転の溶接または接着で行える。この場合、溶接された蓋またはシール体は脆弱な部分を有し、この部分が固定されている首部の縁部からの分離を容易にするが、首部の縁部と容器とのつなぎは弱めないようにされている。
【００２６】
シール体または蓋および密閉体は、湾曲した縁部またはへり部に全周を覆われた容器を提供し、当該縁部またはへり部は、包装容器の上部の内部または外部を感触が滑らかに（ソフトに）形成され、全面継ぎまたは重ね継ぎされ、中空であって、柔軟性が高く、もしくは柔軟性がほとんどなくてもよい。
【００２７】
押し込み可能な襟部を備えたボトルについては、シール体または蓋が接着されているが、使用する際には襟部を引き出すことができる。側壁への熱溶接は従来の方法と同様である。本発明の装置は、包装容器本体部の天部または縁部もしくはへり部に他の包装容器本体部の底部を載置可能である。
【００２８】
包装容器は上方断面が小さな錐台形状や、これを逆さにした形状を呈する。包装容器本体部の縁が平行な上方首部もしくは下方首部を用いることにより、または底からの充填と関連して本体部および密閉体を一度に型形成することにより、密閉工程または密閉体を固定する工程が行われる。
【００２９】
本発明による装置は固体に適用し、容器本体の各端に載置され、キャップを一つずつ取り外すことができ、汚れから保護され、ピストンの役割を果たす。
【発明を実施するための最良の形態】
【００３０】
本発明による安全閉蓋装置は、密閉体１およびシール体もしくは蓋の少なくとも２つの構成要素からなる密封カプセルを含む。シール体もしくは蓋３は、最も外側にあり、詰め込み工程の最後に取り付けられて包装容器を閉蓋する。シール体または蓋は、ＰＥＴ（登録商標）プラスチックまたはその他同等の特徴を有する材料からなり、常に必要なものであり、組立手段により包装容器へ（副次的には密閉体へ）固定される。シール体または蓋は、密閉体を保護し、包装容器と一体となる。包装容器は、シール体または蓋が固定される周縁立ち上げ首部としてのへり部を含む。へり部は、センター位置決めぺグに調整されて組立手段により側壁に固定される。密閉体およびシール体もしくは蓋は、１回の作業で固定することができ、首部が調整されれば水平環または垂直に溶接できる。
【００３１】
密閉体の製造および如何なるタイプのキャップまたは栓の固定も容易である。密閉体の両面から加工可能だからである。密閉体はプラスチックからなり、ＰＥＴ（登録商標）または同じ特性を持つその他の材料からなればよい。キャップシステムが占める空間は、貯蔵の妨げとなることはない一方で、密閉体は組立部材に強度を与えることにより強化部材としての役割を持つ。密閉体はシール体または蓋により外面に対して永続的に衛生的な状態に保たれる。
【００３２】
包装容器には、カバー、第２の追加工程または広告用の包装を取り付けるのに、例えば１つのＯリングに嵌合する畝または溝のような固定手段が必要となることがある。
【００３３】
一実施態様によると、非発泡性飲料用の食料品包装容器は、シール体または蓋と、スクリューキャップその他を備えた密閉体と、注ぎ口とを含む密封装置に特徴を有する（図１，２）。
【００３４】
密閉体１と中央にあるスクリューキャップ２とを備えた包装容器を図１に示す。使用に際し、シール体または蓋３は、タブ４を引っ張ることにより取り外される。プラスチック密閉体は、周縁の首部５により上端へ伸び、いわゆるキャップまたは栓を取り付ける目的で、高さを調整され中央に位置するねじ山を備えている。密閉体１とオフセットされたスクリューキャップまたは栓２とを備えた包装容器を図２に示す。密閉体１から立ち上がる上部ステージ６は、ねじ山からキャップを取り外すためにカッティングワイヤ１３により切り離されてもよい。
【００３５】
この小さなスペースには、コップに唇が触れることなく飲めるような装置および／または密封空間に入れられたストローを通すシール体を備えてもよい。
【００３６】
発泡性飲料（ビールなど）を詰めるには、包装容器上部の大きな開口部と、感触が滑らかな（ソフトな）縁部またはへり部を備えた首部とを提供する飲料容器（図３参照）がより適している。この形態の密閉体は、外側首部形状の通常的には先端部において変形している。密閉体１の位置は高く、どんな液体量もわずかに上回る。首部の外側の低い部分に固定され、ソフトな縁部はリリース１３により開放されて現れる。ＰＥＴ（登録商標）またはその他プラスチックを用いた場合には、この上方の部分は分離して取り外せないので、蓋はより堅固であり、充填後、密閉体の上部に水平または垂直に溶接され、取り外される。
【００３７】
飲料容器の上部、特に首部は中空であってよい。湾曲した縁部またはへり部を備えた飲料容器の上部は、下方強化材１０により側壁に固定され、上方強化材９により容器の縁部に固定され、外側にめくり返したへり部７を用いてソフトにされ、中空となっている（図４参照）。へり部は、固定用の畝または固定溝１４に嵌合する下方強化材１０まで伸展される。縁部は、上方で第１の強化材９へ向かって湾曲している。縁部またはへり部は空洞部１５を有する。
【００３８】
首部は外側にめくり返されており、飲むときに清潔で感触がソフトな縁部またはへり部を保持する薄いプラスチック層からなり、大きな開口となっている。容器の上部にあるリング状の強化材は、手袋の指のように、容器の首部をひっくり返すのを容易にする。第２の強化材は、畝または溝に配置することにより重ね継ぎされた首部の外側スカートの下端を固定する。密閉体は、側面に溶接することによりこの畝の下に固定される（図４）。快適性は下がるが、首部の重ね継ぎの外側スカートの柔軟性をなくしてそれ自体で形状を保持するようにすればより簡単である。
【００３９】
底面に封をした飲料容器を図５に示す。他の組立工程にしたがい、密閉体を溶接し、容器の底部から充填を行っている。底部は充填の後封止される。ソフトな縁部またはへり部の蓋またはシール体は、密閉体が閉蓋している場合を除いて、次のいずれかを自由に選択可能である。
上方を密封する密閉体は、上述のように容器の首部の下にあるワイヤによって切り離され、取り外しカバー１６の機能を果たす。
あるいは、取り外されて封のない状態でひっくり返して、容器の襟部の下の包装容器に入れ子にし、人間工学的にそして熱力学的に断熱する外側の強化材を提供し、もしくは安定性を増すグラスの足として機能する容器の底部となる。
【００４０】
本発明による他の形態は、押し込み可能な襟部を備えたボトルを含む。押し込み可能な襟部を備えたボトルを図６に示す。これは、潜在的な２つの上方および下方強化材２５，２６を備えたより精細なプラスチック首部２４に特徴がある。
【００４１】
充填後の襟部が押し込まれたボトルを図７に示す。圧力がキャップおよび襟部にかけられ、包装容器の内側へ首部をその全高にわたり挿入する。接着した蓋またはシール体があるが、使用に際しては襟部を引き出すことが可能である。側面への熱溶接は従来の工程と同様である。
【００４２】
押し込み可能な襟部を備えたボトル（図８参照）は、上方強化材を有し、これはキャップのねじ溝の下に位置している。
【００４３】
このボトルの特徴は、より薄いリングを持つことであり、望ましくはプラスチックで、ボトルの側面に位置し外面に現れない上方および下方の２つの強化材を備える。上方の強化材は、キャップ２７のねじ溝の襟底に位置しうる。容器は、開放手段２８のような下方強化材の下にあるカッティング装置を用いる既知の製造工程に基づいている。キャップまたは栓を適所に配置した後、圧力がかけられる。これは首部全高にわたり、包装容器の内側へ首部を押し込む。蓋またはシール体を接着して、使用に際し襟部を引き出し可能な容器の製造工程が完了する。側面の熱溶接は従来の工程を利用すればよい。いずれの場合も、ワイヤを用いて上層を取り外すことにより保管の無駄を排除する。
【００４４】
他の形態は、上方断面が小さな錐台形状を呈しる。すなわちこれまでのものと逆さであって底部に大きな安定性を与える。上述した密閉体は、錐体形状をした包装容器本体部の上部にある平行な縁部を備えた小さな首部に適合する。他の形態として、“重ね継ぎ（lap joint）”を有するものは、適切に配置されると、上端、上部および包装容器の内面を重ね継ぎが表裏から覆う。密閉体の側壁への溶接はこれら３つの厚さに対応する。その内側には密閉体があり、前述の１つと一致する。蓋またはシール体も接着または溶接される。この包装容器は、開放手段を用いて容器の底部を取り外した後にリサイクル用に積み重ねられる。この場合、密閉体はより容易にリサイクルされ得る。保管中に汚れないように、これらの積み重ねの先頭を補助するサポート上に、ボトル直径と同じ大きさのリサイクル可能なプラスチックバッグを使用する。残っている液体が流されると、バッグは輸送するべく固定される。
【００４５】
他の形態の密閉体は、底面が切断された錐体形容器に適合する。容器の縁部に一致する平行または円錐状の縁部を備えた密閉体は、底部から上方に位置する畝または溝まで挿入され、その後接着または溶接される。このような設計は、最終的に密封、接着、好ましくは溶接される底部からの充填を可能とする。ボトルはその底部にある留め具により保持されて充填コンベヤベルトへ進む。貯蔵時、底のシール体または蓋は入れ子にするため取り外される。この手順は容器が入れ子にされたときの必然的な使用スペースを最適化し、容器の処理量を最大にする。このような容器は本体部と密閉体が一回の操作で型形成できる。その後は２つの蓋またはシール体だけが密閉体の上部とボトルの底部に追加して取り付けられる。他の形態として可能なものとしては、包装容器の上方内面のねじ切りされた密閉体に特徴があり、例えば粉製品、貯蔵食料の取り出しを容易に、そして繰り返し行える。ねじ機構は接着／開封標識により安全確保される。
【００４６】
固形食料用の包装の場合、蓋またはシール体は密閉体を清潔に保ち、密閉体を取り外している間の雑菌混入を防止する。Oリングもしくはフックにより得られるような水密性を備えた繰り返し使用可能なカバーは、蓋またはシール体が取り外される包装容器に利用できる。内容物は数回に渡り使用することができ、他の容器に内容物を注がなくとも包装容器ごと冷蔵貯蔵することができる。このようにして、雑菌混入の恐れは低減される。密閉体と蓋もしくはシール体との間にある酸素をキレートする袋、または内封された製品に有害な高温の暴露指標を選択することは容易であろう。組立強度を低めることなく容器の底部に本発明による第２の密閉体を装着させることができ、これにより例えば、モールド（パテなど）からの除去を促進し、蓋またはシール体を取り外し、密閉体を清潔に保ち、密閉体を開放してピストンまたはプランジャとして機能させる。
【００４７】
包装容器は、リサイクル時に、包装容器高にわたりそして垂直方向に入れ子にすることなく横方向へ積み重ねることにより貯蔵することができる。この形態は保存時に包装容器に湾曲の変化（多様性）を与え、どんな容器にも適用可能である。中身を空にすると、密閉体は底部と同様に切り離され、最終的にボトルを縦方向に切り開き、密閉体、底部および容易に入れ子にできる湾曲したプラスチックシートに分離する。
【００４８】
他の形態として、内側の装置である本発明による密閉カプセルは、包装容器の上部、底部、側部に配置可能で、またはその平坦な縁部上に配置可能で、平坦な縁部はシール体または蓋と前述のような注ぎ口をなす。ここでもまた、密閉体の取り外しシステムは貯蔵時の無駄を排除するであろう。
【００４９】
包装容器の錐台の方向は貯蔵およびリサイクルには影響しない。パレット上では、本発明による様々なタイプの標準化された包装容器が、全体の強度に影響することなく様々な内容物を収容する。突出したキャップがないこと、横方向の強度、“蜂”の入れ子タイプの積み重ねは、内容物が充填されている時の貯蔵を最適化する。言うまでもなく、この貯蔵は、公知の技術にしたがって、プラスチックシートまたはファイバーボードを用いて容器の列間に差込み、分割することができる。垂直または水平に入れ子にすることは貯蔵およびリサイクルに最適である。
【００５０】
材料としては、ＰＥＴ（登録商標）系のプラスチック、すなわち、コポリエステル、加熱塑性、透明、不定形、衝撃に強いものが好ましく、殺菌してもよく、可塑化する原因物質または内容物に適合するG.S.M.特性を有するその他の物質を含まず、接着、アルミメッキ、金属仕上げなどを施されたプラスチックでもよい。
【００５１】
蓋または密閉体を固定するのに溶接するときは、カッティングワイヤ装置、プラスチック・テアリング、またはその他同等の全ての適切な除去手段を備え、リサイクル時に機能させる。簡単のため、明細書内では１の開放手段のみを記載している。
【００５２】
組立は、接着、溶接、もしくはその他同様の技術または既知の方法の組み合わせた手段によって定義される。簡単のため、明細書内では１の組立手段のみを記載している。
【図面の簡単な説明】
【００５３】
【図１】密閉体１および中央のスクリューキャップ２を備えた包装容器を示す。
【図２】密閉体１および中央からオフセットされたスクリューキャップ２を備えた包装容器を示す。
【図３】重ね継ぎおよび丸みを帯びた縁部またはへり部を備えた容器を示す。
【図４】感触が滑らかで中空の湾曲した縁部もしくはへり部を備えた飲料容器を示す。
【図５】底部から密封された飲料容器を示す。
【図６】充填前の押し込み可能な襟部を備えたボトルを示す。
【図７】充填後の押し込み可能な襟部を備えたボトルを示す。
【図８】上方強化材がキャップのねじ山の下に配置された押し込み可能な襟部を備えたボトルを示す。
【図１】
2006519147.tif 000003
【図２】
2006519147.tif 000004
【図３】
2006519147.tif 000005
【図４】
2006519147.tif 000006
【図５】
2006519147.tif 000007
【図６】
2006519147.tif 000008
【図７】
2006519147.tif 000009
【図８】
2006519147.tif 000010
【国際調査報告】
2006519147.tif 000011
2006519147.tif 000012
2006519147.tif 000013
2006519147.tif 000014
2006519147.tif 000015
2006519147.tif 000016